(57)【要約】【課題】櫛歯を連設した梳鋏において、櫛歯や櫛溝の形状、大きさなどのデザインを自由に設計しながらも、梳鋏の髪を梳ききる量はこのデザインに影響を受けることなく自由に設計できる梳鋏を提供する事にある。【解決手段】櫛歯の先端幅が、この先端幅の鋏先端側に設けられた刃と、先端幅の鋏基端側に設けられて髪が切断できない様に形成された刃幅調整部であって、先端幅に対して所定の幅比率を占める様に形成されることにより刃の刃幅を調整する為の刃幅調整部と、に区分けされたことを特徴とする【選択図】    図１
2004173911.tif 000002
【特許請求の範囲】
【請求項１】
櫛歯を連設した梳鋏であって、
櫛歯の先端幅が、この先端幅の鋏先端側に設けられた刃と、前記先端幅の鋏基端側に設けられて髪が切断できない様に形成された刃幅調整部であって、前記先端幅に対して所定の幅比率を占める様に形成されることにより前記刃の刃幅を調整する為の刃幅調整部と、に区分けされたことを特徴とする梳鋏。
【請求項２】
刃幅調整部が、刃より突出して髪を左右に分ける事のできる突出部として形成されていることを特徴とする請求項１記載の梳鋏。
【発明の詳細な説明】
【０００１】
【発明の属する技術分野】
この発明は、理容鋏の一種である梳鋏の改良に関する。
【０００２】
【従来の技術】
理容鋏の一種である梳鋏１００は、図９に示す様に、櫛刃１１０と棒刃１２０とを枢着させたものが代表的な構成であり、櫛刃１１０には櫛の歯に似た形状の櫛歯１１１が連設されている。これにより髪を梳き切る事ができ、つまり髪を間引く様な切り方ができるのである。櫛歯１１１で切られなかった髪は櫛歯同士の間の櫛溝１１２に溜まる様になっている。例えば図９の様な代表的な形状の梳鋏１００で髪を梳くと、髪１０本中から１〜２本を切る事ができる。
【０００３】
しかし、どの程度の髪の量を梳きたいかは好みによりマチマチであり、多く梳きたい場合や、逆に少しだけ梳きたいなど様々である。その為に櫛歯先端の刃幅を様々な広さ／狭さにして、多種な形状の梳鋏が提供されている。
【０００４】
一方、梳鋏の利用者である理髪店や美容院はオシャレを求める業種でもあり、その為に店舗の装飾を工夫したりする。そしてこの様な求めは理容に用いる道具にも求められる傾向にあり、オシャレな道具、小道具となる工夫が色々と成されている。
【０００５】
カット鋏や梳鋏などもそうした工夫の対象となっており、様々なデザイン上の工夫が成される様になっている。例えば従来に見られた梳鋏は、その櫛歯の形状が図３に示した様な直線的な形状であり、従ってその櫛溝も当然に直線的な形状であった。しかし例えば図１０に示す様に櫛溝を水滴状に形成するとか、或いは図１１に示す様に溝の形状を様々な形状にする事により、単に理容の道具としてだけでなく、意匠性に優れたデザインが工夫されている（特許文献１、特許文献２）。
【０００６】
【特許文献１】
意匠登録第１１０１８７８号の意匠公報
【特許文献２】
意匠登録第１１０１８７８号の類似１号の意匠公報
【０００７】
【発明が解決しようとする課題】
この様に梳鋏も、その櫛歯や櫛溝を様々な形にする事により意匠的に優れたデザインを得ているのであるが、その為、櫛歯の先端幅はデザイン上の要請により決まってくる。つまり櫛歯先端の刃幅は、この梳鋏が梳く髪の量を左右するものであるものの、デザイン上の要請による先端幅と、梳鋏に梳かせたい髪の量で決まる先端幅とは、一般には一致しないのである。
【０００８】
この様に、デザインは純粋にデザイン的な配慮のみで決めたいのであり、一方、梳き切る髪の量は、デザインに関係なく梳鋏の基本仕様として決めたいのである。つまりデザインと、梳鋏の機能特性とを互いに干渉させるとこなく設計したいのであるが、この様なことが現在はできていない。
【０００９】
よって本願発明の目的とするところは、梳鋏において、櫛歯や櫛溝の形状、大きさなどのデザインを自由に設計しながらも、梳鋏の髪を梳ききる量はこのデザインに影響を受けることなく自由に設計できる梳鋏を提供する事にある。
【００１０】
【課題を解決するための手段と発明の効果】
以上の課題を解決するために、本願請求項１記載の発明は、櫛歯を連設した梳鋏であって、櫛歯の先端幅が、この先端幅の鋏先端側に設けられた刃と、前記先端幅の鋏基端側に設けられて髪が切断できない様に形成された刃幅調整部であって、前記先端幅に対して所定の幅比率を占める様に形成されることにより前記刃の刃幅を調整する為の刃幅調整部と、に区分けされたことを特徴とする。
【００１１】
これにより、梳鋏の髪を切る量などに影響する刃幅が、デザイン上の要請で決まる櫛歯の先端幅の範囲内であれば、この先端幅と無関係に自由に設計することができる。つまり梳鋏がその櫛歯と櫛溝をどの様なデザイン形状にし、それにより櫛歯の先端幅がどの様な幅になろうとも、髪の梳く量という梳鋏の基本性能を、これに影響されること無く決める事ができるのである。また一般に鋏で髪を切る時には、髪は鋏の刃の上を鋏先端側に滑りながら切られるが、本発明では、各櫛歯ごとに刃を鋏先端側に設けたので、髪の一部は切られることなく鋏先端側に向かって滑り、櫛溝に落ちる事ができる。つまり、従来であれば、櫛歯の先端幅の広狭により、梳き切る髪の量がある程度決まっていたが、先端幅の割には少ない髪梳き量にする事ができる。
【００１２】
なお梳鋏は一般には棒刃と櫛刃とを枢着させてあるが、櫛刃同士を枢着させたものであってもよい。この場合、櫛歯に刃幅調整を設けことを櫛刃の一方のみに施してもよく、両方にほどこしてもよい。また１本の櫛刃に多数の櫛歯が連接されているが、これら櫛歯の全てに刃幅調整部設けても、また一部の櫛歯のみに設けてもよい。
【００１３】
請求項２記載の発明では、刃幅調整部が、刃より突出して髪を左右に分ける事のできる突出部として形成されていることを特徴とする。「左右に分ける」とは必ず左右双方に髪を逃がして分けられなければならないと云う事ではなく、どちらか一方に髪を逃がすのでも無論よい。
これにより、梳鋏で髪を梳き切る際には、刃幅調整部が髪を左右に分けて髪を逃がすので、刃の側に髪が逃がされても、髪は刃で刃幅分だけ切られたら、他の髪は刃を滑って櫛溝に落ちて溜まるのであり、つまり刃幅に相当する髪の量しか梳かれないのである。
【００１４】
【発明の実施の形態】
次に本願発明の実施例の梳鋏を示す。
図１に示す様に梳鋏１Ａは、櫛刃１０と棒刃２０とを枢着させた梳鋏１である。櫛刃１０には櫛歯１１が連設されており、櫛歯１１同士の間に形成される櫛溝１２が水滴状に形成されている。その為、この櫛歯１１の根本寄りの部分が括れた形状になっていて、櫛歯１１の先端にゆくに連れて幅広になっている。
【００１５】
この櫛歯１１の先端であるが、図２に示す様に、その先端幅Ｗが、先端幅Ｗの鋏先端側Ａに設けられた刃１３と、先端幅Ｗの鋏基端側Ｂに設けられた刃幅調整部１４とに区分けされている。
【００１６】
この刃幅調整部１４は、刃１３より突出して頂部が略半円形の突出部１５に形成されており、突出部の刃側（図２中、突出部の左側）の形状は、なだらかな角度の裾部１６になっている。またこの刃幅調整部１４はその形状線に沿ったどの部分にも刃付けがされておらず、従って、髪をこの梳鋏１で挟み閉じる時でも、この刃幅調整部１４と棒刃２０とに挟まれた髪は切断されることなく、略半円形の左右に分けられるのである。図２中の右側に分けられた髪はそのまま櫛溝１２に落ちるが、左側に分けられた髪は裾部１６を滑って刃の上に落ち、一部は切られながらも、全体としては刃幅Ｗに対応した量の髪が切られ、残りは左側の櫛溝１２に滑り落ちるのである。
【００１７】
この刃幅調整部１４は、梳鋏を設計・製造する時に、櫛歯１の先端幅Ｗに対して所定の幅比率（Ｗ：Ｙ）を占める様に形成しておくのである。これにより、この刃幅調整部１４は刃１３の刃幅Ｘを先端幅Ｗよりも小さく調整することができ、結果、デザインに縛られずに刃幅Ｘを決める事ができ。
【００１８】
同じデザインの梳鋏であっても、図２に示す刃幅Ｘ（＝ｃ）を、ａ、ｂ、ｄ等と様々に変える事ができ、よって同じデザインであっても髪を梳く量を様々に変える事ができるのである。
【００１９】
図３に示す梳鋏１Ｂも、櫛刃１０と棒刃２０とを枢着させた梳鋏１である。図１の梳鋏１Ａに比べ、櫛歯の幅が狭い他は余り相異がなく、櫛歯１１の先端幅Ｗが、図４に示す様にこの先端幅Ｗの鋏先端側Ａに設けられた刃１３と、先端幅Ｗの鋏基端側Ｂに設けられた刃幅調整部１４とに区分けされている。なお刃１３には、図５に示す様な、髪の滑り止めの為の凹部１７を設けてもよい。
或いは図６〜７に示す梳鋏１Ｃの様に、櫛歯の幅が等幅に形成されたものでもよい。また図５同様の滑り止め凹部１７を、刃１３に設けてもよい。
【００２０】
また図５においては、刃１３の刃幅の鋏先端側Ａよりに凹部１７が一つ設けられており、図８においては刃１３の刃幅の略中央に凹部１７が一つ設けられている。髪の梳く量を少なくするため等に刃幅調整部１４を設けた場合であっても、髪が刃１３上を滑って全く梳き切ることができないのでは具合が悪い等の理由で、僅かな梳き切り量を希望する場合など、この様な工夫をしてもよい。
その他、本願発明の趣旨の範囲内で、どの様な形態で実施されてもよい。
【図面の簡単な説明】
【図１】この図は、実施例に示した梳鋏の図である。
【図２】この図は、櫛歯の先端を説明する図である。
【図３】この図は、別の梳鋏の実施例の図である。
【図４】この図は、図３の櫛歯の部分を説明する図である。
【図５】この図は、図３の櫛歯に凹部を設けた説明図である。
【図６】この図も、別の梳鋏の実施例の図である。
【図７】この図は、図６の櫛歯の部分を説明する図である。
【図８】この図は、図６の櫛歯に凹部を設けた説明図である。
【図９】この図は、従来の梳鋏の図である。
【図１０】この図は、デザインを施した従来の梳鋏である。
【図１１】この図は、デザインを施して別の従来の梳鋏である。
【符号の説明】
１Ａ、１Ｂ、１Ｃ  梳鋏
１０  櫛刃
１１  櫛歯
１２  櫛溝
１３  刃
１４  刃幅調整部
１５  膨出部
１６  裾部
１７  凹部
２０  棒刃
Ｗ  櫛歯の先端幅
Ｘ  刃幅
Ｙ  刃幅調整部の幅
Ａ  鋏先端側減る
Ｂ  鋏基端側
【図１】
2004173911.tif 000003
【図２】
2004173911.tif 000004
【図３】
2004173911.tif 000005
【図４】
2004173911.tif 000006
【図５】
2004173911.tif 000007
【図６】
2004173911.tif 000008
【図７】
2004173911.tif 000009
【図８】
2004173911.tif 000010
【図９】
2004173911.tif 000011
【図１０】
2004173911.tif 000012
【図１１】
2004173911.tif 000013